(57)【要約】      （修正有）【課題】サイドエントリー型のコンデンサマイクロホンにおいて、収音軸以外の方向から到来する音波によって加えられる回転力に対して、マイクロホンユニットが応動しないように、より剛性の高い強固な支持構造を提供する。【解決手段】周縁にリング状の支持枠４を有するマイクロホンユニット２と、マイクロホン基台６とを備え、マイクロホン基台には、垂直に立ち上がる左右一対の支柱５１、５２が設けられており、マイクロホンユニットの収音軸Ａがほぼ水平となるように、支持枠を支柱間にネジ止めするにあたって、支持枠を２つの支柱に対してネジ止めするネジ止め箇所として、一方の支柱に対しては垂直方向に所定の間隔で配置された第１、第２の２つのネジ止め箇所Ｆ１、Ｆ２を有し、他方の支柱に対しては少なくとも１箇所のネジ止め箇所Ｆ３を有している。【選択図】図１
2015023324.tif 000002
【特許請求の範囲】
【請求項１】
振動板と固定極とを含み周縁にリング状の支持枠が取り付けられているマイクロホンユニットと、マイクロホン基台とを備え、上記マイクロホン基台には、上記支持枠の直径とほぼ等しい間隔をもってほぼ垂直に立ち上がる左右一対の支柱が設けられており、上記マイクロホンユニットの収音軸がほぼ水平となるように、上記支持枠が上記支柱間にネジ止めされているサイドエントリー型のコンデンサマイクロホンにおいて、
上記支持枠を上記支柱に対してネジ止めするネジ止め箇所として、上記支持枠は、上記一方の支柱に対しては垂直方向に所定の間隔で配置された第１，第２の２つのネジ止め箇所を有し、上記他方の支柱に対しては少なくとも１箇所のネジ止め箇所を有していることを特徴とするコンデンサマイクロホン。
【請求項２】
上記支持枠は、上記他方の支柱に対しても垂直方向に所定の間隔で配置された第１，第２の２つのネジ止め箇所を有していることを特徴とする請求項１に記載のコンデンサマイクロホン。
【請求項３】
上記マイクロホンユニットの収音軸を含む水平面を基準として、上記第１，第２の各ネジ止め箇所が上下対称に配置されていることを特徴とする請求項１または２に記載のコンデンサマイクロホン。
【請求項４】
上記ネジ止め箇所には、上記支柱側に穿設されたネジ挿通孔と、上記ネジ挿通孔と同軸として上記支持枠側に形成された雌ネジ孔とが設けられていることを特徴とする請求項１ないし３のいずれか１項に記載のコンデンサマイクロホン。
【発明の詳細な説明】
【技術分野】
【０００１】
本発明は、コンデンサマイクロホンに関し、さらに詳しく言えば、サイドエントリー型であって、マイクロホンユニットの取付剛性を高めて音質のさらなる向上を図ったコンデンサマイクロホンに関する。
【背景技術】
【０００２】
コンデンサマイクロホンには、音波を取り込む方向の種別で言えば、エンドアドレス型マイクロホンと、サイドエントリー型マイクロホンとがある。
【０００３】
図示しないが、エンドアドレス型マイクロホンでは、マイクロホンユニットを円筒状のユニットケース内に収納し、主にそのユニットケースの前端部からマイクロホンユニットに音波を取り込む。
【０００４】
これに対して、サイドエントリー型マイクロホンでは、例えば特許文献１に記載されているように、マイクロホンユニットを、例えば金属の網体からなる円筒状のユニットカバー内にほぼ垂直に配置し、そのユニットカバーの円筒軸と直交する方向からマイクロホンユニットに音波を取り込む。
【０００５】
この種のコンデンサマイクロホンユニットには、通常、円形のダイアフラムリングに張設された振動板と、対極としての絶縁座に支持された固定極とを含む円形のマイクロホンユニットが用いられており、リング状の支持枠を含むマウント部材を介してマイクロホン基台に保持されている。
【０００６】
しかしながら、サイドエントリー型の場合、エンドアドレス型のようにマイクロホンユニットがユニットケース内に直接的に固定されていないため、マイクロホンユニットの支持構造が問題となる。
【０００７】
例えば、特許文献１で従来技術として紹介されている図４のように、マイクロホンユニットの下端側の一点が支柱部材を介してマイクロホン基台に支持されている態様では、マイクロホンに加えられる振動等によって、マイクロホンユニットが容易に首振りして振動雑音が発生しやすい。
【０００８】
そこで、特許文献１に記載の発明では、その図１，図２に示されているように、マイクロホンユニットを板状弾性体の中央部分に嵌め込み、その板状弾性体の上端と下端とをユニットケースに固定することが提案されている。
【０００９】
これによれば、マイクロホンユニットが、上下二点支持の板状弾性体内に保持され、マイクロホンに加えられた振動によってマイクロホンユニットがほとんど首振りしないことから、振動雑音を少なくすることができる。
【先行技術文献】
【特許文献】
【００１０】
【特許文献１】特開２００６−１９８２５号公報
【発明の概要】
【発明が解決しようとする課題】
【００１１】
しかしながら、上記のように、マイクロホンユニットを上下二点支持の板状弾性体内に保持させたとしても、マイクロホンユニットに対して音波が例えば収音軸の４５°方向から加えられると、その音圧によってマイクロホンユニットを回転させる力が発生する。
【００１２】
この回転力は極めて微少ではあるが、特にスタジオ録音などプロユースな高音質が求められるサイドエントリー型のコンデンサマイクロホンにおいては、収音軸以外の方向から加えられる音波によってマイクロホンユニットが微動だしない、より剛性の高い強固な支持構造が必要とされる。
【００１３】
そこで、本発明の課題は、サイドエントリー型のコンデンサマイクロホンにおいて、収音軸以外の方向から到来する音波によって加えられる回転力に対して、マイクロホンユニットが応動しないように、より剛性の高い強固な支持構造を提供することにある。
【課題を解決するための手段】
【００１４】
上記課題を解決するため、本発明は、振動板と固定極とを含み周縁にリング状の支持枠が取り付けられているマイクロホンユニットと、マイクロホン基台とを備え、上記マイクロホン基台には、上記支持枠の直径とほぼ等しい間隔をもってほぼ垂直に立ち上がる左右一対の支柱が設けられており、上記マイクロホンユニットの収音軸がほぼ水平となるように、上記支持枠が上記支柱間にネジ止めされているサイドエントリー型のコンデンサマイクロホンにおいて、
上記支持枠を上記支柱に対してネジ止めするネジ止め箇所として、上記支持枠は、上記一方の支柱に対しては垂直方向に所定の間隔で配置された第１，第２の２つのネジ止め箇所を有し、上記他方の支柱に対しては少なくとも１箇所のネジ止め箇所を有していることを特徴としている。
【００１５】
本発明において、好ましくは、上記支持枠は、上記他方の支柱に対しても垂直方向に所定の間隔で配置された第１，第２の２つのネジ止め箇所を有している。
【００１６】
また、上記マイクロホンユニットの収音軸を含む水平面を基準として、上記第１，第２の各ネジ止め箇所が上下対称に配置されていることが好ましい。
【００１７】
また、ネジ止め作業を容易とするうえで、上記ネジ止め箇所には、上記支柱側に穿設されたネジ挿通孔と、上記ネジ挿通孔と同軸として上記支持枠側に形成された雌ネジ孔とが設けられていることが好ましい。
【発明の効果】
【００１８】
本発明によれば、マイクロホンユニットの収音軸がほぼ水平となるように、マイクロホンユニットの支持枠を左右一対の支柱間にネジ止めするにあたって、上記支持枠が、一方の支柱に対しては垂直方向に所定の間隔で配置された第１，第２の２つのネジ止め箇所でネジ止めされ、他方の支柱に対しては少なくとも１箇所のネジ止め箇所（合計３箇所）、好ましくは上記一方の支柱に対するのと同じく、垂直方向に所定の間隔で配置された第１，第２の２つのネジ止め箇所（合計４箇所）でネジ止めされるため、収音軸以外の方向から到来する音波によって加えられる回転力に対して、マイクロホンユニットが応動しないように、マイクロホンユニットを高い剛性をもって強固に支持することができる。
【図面の簡単な説明】
【００１９】
【図１】本発明の一実施形態に係るコンデンサマイクロホンの正面を示す断面図。
【図２】上記コンデンサマイクロホンの右側面を示す断面図。
【発明を実施するための形態】
【００２０】
次に、図１および図２により、本発明の実施形態について説明するが、本発明はこれに限定されるものではない。
【００２１】
図１および図２に示すように、このコンデンサマイクロホン１は、円盤状を呈するマイクロホンユニット２が、その収音軸Ａをほぼ水平（受音面はほぼ垂直）として、マウント部材５を介してマイクロホン基台６に支持されたサイドエントリー型のコンデンサマイクロホンである。
【００２２】
マイクロホンユニット２は、ダイアフラムリングに張設された振動板と、絶縁座に支持された固定極とを、セパレータリングを介して対向的に配置することにより構成されているが、図１には、これら各構成要素のうち、振動板２１のみが示されている。
【００２３】
マイクロホンユニット２は、その周縁に円形リング状の支持枠４を備えている。支持枠４は、マイクロホンユニット２をマウント部材５にネジ止めするための枠であって、アルミニウム材等より形成されてよい。
【００２４】
マイクロホン基台６は、例えば真鍮材（黄銅合金）により円筒状に形成されており、マイクロホン基台６内には、出力トランス１０が収納されている。また、マイクロホン基台６の下部には、内部にマイクロホンコネクタＭＣを有するコネクタ部６３が一体として設けられている。
【００２５】
図１に示すように、マウント部材５は、マイクロホン基台６から支持枠４の直径とほぼ等しい間隔をもってほぼ垂直に立ち上がる左右一対の支柱５１，５２を有し、支柱５１，５２の先端（図１，２では上端）には、円盤状の天板５３が取り付けられている。
【００２６】
この実施形態において、支柱５１，５２は、それらの上端がほぼ垂直に立ち上がるようにマイクロホン基台６の１８０゜対向する位置に形成された係止凹部６１，６２にネジ止めされている。支柱５１，５２は、剛性の高い金属材であることが好ましい。
【００２７】
支柱５１，５２間で、マイクロホン基台６側寄りには、インピーダンス変換器としてのＦＥＴ（電界効果トランジスタ）を含む音声信号出力回路が実装された回路基板７がネジ止めされている。
【００２８】
携帯電話機等から放射される電磁波が回路基板７に浴びせられると、その電磁波による高周波電流がＦＥＴによって検波され、雑音が発生することがある。また、回路基板７が到来する音波により振動することによっても雑音が発生することがある。
【００２９】
この点を考慮して、この実施形態では、支柱５１，５２間に、回路基板７を外界から遮蔽するための金属材からなる遮蔽ドーム８がネジ止めされているいるとともに、マイクロホン基台６には、回路基板７の周りを囲む金属材からなる円筒状のシールドケース９１が被せられている。
【００３０】
マイクロホンユニット２は、支柱５１，５２間で支持されるが、収音軸Ａ以外の例えば斜め４５゜方向から到来する音波によって加えられる回転力に対して、マイクロホンユニットが微動だに応動（回転）しないようにするため、この実施形態では、マイクロホンユニット２を支柱５１，５２に対して、片側で２箇所ずつ、合計４箇所でネジ止めするようにしている。
【００３１】
この４つのネジ止め箇所をＦ１〜Ｆ４として、２つのネジ止め箇所Ｆ１，Ｆ２は、図１において左側の支柱５１に配置され、残りの２つのネジ止め箇所Ｆ３，Ｆ４は、図１において右側の支柱５２に配置されている。
【００３２】
ネジ止め箇所Ｆ１には、支柱５１側に穿設されたネジ挿通孔５１１と、ネジ挿通孔５１１と同軸として支持枠４側に形成された雌ネジ孔４１とが含まれ、ネジ止め箇所Ｆ２には、支柱５１側に穿設されたネジ挿通孔５１２と、ネジ挿通孔５１２と同軸として支持枠４側に形成された雌ネジ孔４２とが含まれている。
【００３３】
同様に、ネジ止め箇所Ｆ３には、支柱５２側に穿設されたネジ挿通孔５２１と、ネジ挿通孔５２１と同軸として支持枠４側に形成された雌ネジ孔４３とが含まれ、ネジ止め箇所Ｆ４には、支柱５２側に穿設されたネジ挿通孔５２２と、ネジ挿通孔５２２と同軸として支持枠４側に形成された雌ネジ孔４４とが含まれている。
【００３４】
これによれば、雌ネジ孔４１，４２，４３，４４を、対応するネジ挿通孔５１１，５１２，５２１，５２２に合致させて、図示しない雄ネジをネジ挿通孔から雌ネジに螺合することにより、マイクロホンユニット２を、支柱５１，５２に対して４点で剛性支持することができる。
【００３５】
この場合、図１に示すように、一方のネジ止め箇所Ｆ１とＦ２、他方のネジ止め箇所Ｆ３とＦ４は、収音軸Ａを含む仮想の水平面Ｘを基準としてそれぞれ上下対称、また、一方のネジ止め箇所Ｆ１，Ｆ２と、他方のネジ止め箇所Ｆ３，Ｆ４は、収音軸Ａを含む仮想の垂直面Ｙを基準として左右対称に配置することにより、１箇所だけ位置合わせすれば、他の３箇所も位置合わせされるため、ネジ止め作業を楽に行うことができる。
【００３６】
また、図１に示すように、支持枠４の支柱５１，５２に対する取り付け面を平坦面とすることにより、支持枠４に余計な応力をかけず、すなわち振動板２１の張力を変化させることなく、より強固な支持構造とすることができる。
【００３７】
上記のように、マイクロホンユニット２を支柱５１，５２にネジ止めしたのち、例えば金網体からなる円筒状もしくは角筒状のマイクロホンケース９をマイクロホンユニット２に被せて、最終製品形態とする。
【００３８】
なお、上記実施形態では、マイクロホンユニット２の支柱５１，５２に対するネジ止め箇所を４箇所の４点止めとしているが、例えば支柱５２側のネジ止め箇所を１箇所として３点止めとしてもよい。この場合には、その１箇所を収音軸Ａを含む仮想平面Ｘ上に配置することが好ましい。
【００３９】
また、マイクロホンユニット２がダイアフラムリングを長方形枠とした角型ユニットである場合には、支持枠４をそれに合わせて長方形枠とすればよく、このような態様も本発明に含まれる。
【符号の説明】
【００４０】
１  コンデンサマイクロホン
２  マイクロホンユニット
４  支持枠
４１〜４４  雌ネジ孔
５  マウント部材
５１，５２  支柱
５１１，５１２，５２１，５２２  ネジ挿通孔
５３  天板
６  マイクロホン基台
７  回路基板
８  遮蔽ドーム
９  マイクロホンケース
９１  シールドケース
Ｆ１〜Ｆ４  ネジ止め箇所
【図１】
2015023324.tif 000003
【図２】
2015023324.tif 000004